(57)【要約】【課題】薬剤含浸体の構造がシンプルで、しかも薬剤の揮散効率が高い薬剤揮散装置、ならびにこれを用いた害虫防除方法の提供。【課題の解決手段】複数枚の吸液性シートを多層に重ねて形成した通気性担体に、常温揮散性ピレスロイド系薬剤を３０〜５００ｍｇ含有させてなる薬剤含浸体を、カートリッジに収納して５００〜２０００ｒｐｍの速度で回転させるとともに、前記薬剤含浸体に作用する遠心力により該薬剤を揮散させるようになした薬剤揮散装置、及びこれを用いた害虫防除方法。【選択図】図１
2005143429.tif 000002
【特許請求の範囲】
【請求項１】
複数枚の吸液性シートを多層に重ねて形成した通気性担体に、常温揮散性ピレスロイド系薬剤を３０〜５００ｍｇ含有させてなる薬剤含浸体を、カートリッジに収納して５００〜２０００ｒｐｍの速度で回転させるとともに、前記薬剤含浸体に作用する遠心力により該薬剤を揮散させるようになしたことを特徴とする薬剤揮散装置。
【請求項２】
吸液性シートがセルロース製で、その目付（ｇ／ｍ2）を厚さ（ｍｍ）で除したパラメーターで示した時、３００〜１０００（ｇ／ｍ2・ｍｍ）の範囲であることを特徴とする請求項１に記載の薬剤揮散装置。
【請求項３】
多層に重ねた吸液性シートの層間距離が０．５ｍｍ〜５．０ｍｍであることを特徴とする請求項１又は２に記載の薬剤揮散装置。
【請求項４】
カートリッジの内周側にファンを具備したことを特徴とする請求項１ないし３のいずれかに記載の薬剤揮散装置。
【請求項５】
常温揮散性ピレスロイド系薬剤が、一般式（Ｉ）
【化１】
2005143429.tif 000006
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上であることを特徴とする請求項１ないし４のいずれかに記載の薬剤揮散装置。
【請求項６】
複数枚の吸液性シートを多層に重ねて形成した通気性担体に、常温揮散性ピレスロイド系薬剤を３０〜５００ｍｇ含有させてなる薬剤含浸体を、カートリッジに収納して５００〜２０００ｒｐｍの速度で回転させるとともに、前記薬剤含浸体に作用する遠心力により該薬剤を揮散させることを特徴とする害虫防除方法。
【発明の詳細な説明】
【技術分野】
【０００１】
本発明は、薬剤揮散装置及びこれを用いた害虫防除方法に関するものである。
【背景技術】
【０００２】
害虫、例えば蚊や蚋などを駆除するために、薬剤を閉鎖空間（建築物や自動車の室内、アウトドアスポーツにおけるテント内など）全体に揮散、放出させる薬剤揮散方法として、熱エネルギーを利用した蚊取線香や電気蚊取マット、液体式電気蚊取（リキッド）が一般的である。一方、電源として電池を用い、常温で薬剤含浸体にファン等の風をあてて薬剤を揮散、放出させる送風式薬剤揮散装置も、携帯用として実用化されている。しかしながら、後者の送風式薬剤揮散装置のうち、薬剤含浸体を装置に固定しファンの風力のみで薬剤を揮散させるものは、たとえ、特開平１１−９２３０３号公報に記載されているように、複雑なハニカム構造を有する薬剤含浸体を採用したとしても揮散が十分効率的とはいえない。
【０００３】
そこで、本発明者らは、特開２００１−２４７４０６号公報において、薬剤含浸体を収納するカートリッジをモーターで回転させ、遠心力とファンによる風力を利用して薬剤を一層効率的に揮散、放出させる薬剤揮散方法を開示した。またその後、粒状もしくは略粒状の吸液性担体の替わりに、シート状あるいはマット状の吸液性担体を用いる薬剤揮散装置についても明らかにした（特開２００２−１７２３０号公報）。
これらの方式は、薬剤含浸体が静置型のものと比べると薬剤揮散効率を飛躍的に向上させたが、更なる改良の余地が残されていた。
【特許文献１】特開平１１−９２３０３号公報
【特許文献２】特開２００１−２４７４０６号公報
【特許文献３】特開２００２−１７２３０号公報
【発明の開示】
【発明が解決しようとする課題】
【０００４】
本発明は、薬剤含浸体の構造がシンプルで、しかも薬剤の揮散効率が高い薬剤揮散装置、ならびにこれを用いた害虫防除方法を提供することを目的とする。
【課題を解決するための手段】
【０００５】
上記課題を解決するため、本発明者らは、特開２００１−２４７４０６号公報で開示された薬剤揮散装置の薬剤揮散作用を詳しく調べたところ、遠心力と風力のファクターのうち遠心力の寄与が相対的に極めて大きいことを見出した。そこで、遠心力のみの作用でも高い揮散効率を奏しえる薬剤揮散装置の研究を行い、本発明を完成するに至った。
【０００６】
すなわち本発明では、以下の構成が採用される。
（１）複数枚の吸液性シートを多層に重ねて形成した通気性担体に、常温揮散性ピレスロイド系薬剤を３０〜５００ｍｇ含有させてなる薬剤含浸体を、カートリッジに収納して５００〜２０００ｒｐｍの速度で回転させるとともに、前記薬剤含浸体に作用する遠心力により該薬剤を揮散させるようになした薬剤揮散装置。
（２）吸液性シートがセルロース製で、その目付（ｇ／ｍ2）を厚さ（ｍｍ）で除したパラメーターで示した時、３００〜１０００（ｇ／ｍ2・ｍｍ）の範囲である（１）に記載の薬剤揮散装置。
（３）多層に重ねた吸液性シートの層間距離が０．５ｍｍ〜５．０ｍｍである（１）又は（２）に記載の薬剤揮散装置。
（４）カートリッジの内周側にファンを具備した（１）ないし（３）のいずれかに記載の薬剤揮散装置。
（５）常温揮散性ピレスロイド系薬剤が、一般式（Ｉ）
【化１】
2005143429.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上である（１）ないし（４）のいずれかに記載の薬剤揮散装置。
（６）複数枚の吸液性シートを多層に重ねて形成した通気性担体に、常温揮散性ピレスロイド系薬剤を３０〜５００ｍｇ含有させてなる薬剤含浸体を、カートリッジに収納して５００〜２０００ｒｐｍの速度で回転させるとともに、前記薬剤含浸体に作用する遠心力により該薬剤を揮散させる害虫防除方法。
【発明の効果】
【０００７】
本発明の薬剤揮散装置は、薬剤含浸体の構造がシンプルで製造上のメリットが大きく、しかも薬剤の揮散効率が高いため極めて有用である。そして、これを用いた本発明の害虫防除方法によれば、屋内の蚊や蚋、ハエ、ユスリカなどの各種害虫に対してすぐれた殺虫、防虫効果を奏するものである。
【発明を実施するための最良の形態】
【０００８】
本発明の薬剤揮散装置は、屋内使用を主用途とし、特に安定した薬剤揮散性能と経済性の確保を重視してＡＣアダプターを用い交流電源を優先的に使用するが、交流電源が得られない場面では乾電池や充電池、あるいは太陽電池が使用される設計であっても構わない。すなわち、電源として乾電池のみを使用した場合、装置の構成はシンプルとなるものの、電圧の経時的降下とともにモーターの回転数が徐々に低下することは避けられず、殺虫効力を保持するために乾電池の交換を頻繁にするとコスト高となるので、本発明では交流電源の優先使用が好ましい。
【０００９】
かかる状況のもとで、本発明の薬剤揮散装置は、複数枚の吸液性シートを多層に重ねて形成した通気性担体に、常温揮散性ピレスロイド系薬剤を含有させてなる薬剤含浸体をカートリッジに収納し、５００〜２０００ｒｐｍの速度で回転させる方式を採用する。
吸液性シートの材質としては、十分な薬剤保持能と含浸体内部から順次表面への移動・滲出性を奏し、かつ相応の強度を有するものであれば限定されない。例えば、パルプ、リンターなどの天然由来材料、レーヨン、ビスコースなどのセルロース系繊維及び／又はポリエステル、ポリエチレン、ポリプロピレン、ポリアミドなどの合成繊維、ガラス繊維などがあげられ、これらの一種又は二種以上を絡合させて、紙、布、不織布、フェルトなどに成形したものが用いられる。なかでも、セルロース製の紙（ろ紙、厚紙、ダンボール紙など）、布、不織布が好ましく、その目付（ｇ／ｍ2）を厚さ（ｍｍ）で除したパラメーターで表した場合、３００〜１０００（ｇ／ｍ2・ｍｍ）の範囲のものが好適である。３００ｇ／ｍ2・ｍｍ未満であると、薬剤の揮散性が速くなりすぎる傾向があり、一方１０００ｇ／ｍ2・ｍｍを超えると、薬剤の含浸体内部から表面への移動が緩やかでシート間の層間距離を考慮したとしても適当な薬剤揮散量を確保することが難しくなる。また、必要ならば、強度的にすぐれた基板に前記材質の吸液性シートを貼付するようにしても構わない。
【００１０】
本発明は、複数枚の前記吸液性シートを多層に重ねて通気性担体を形成したことに特徴を有する。吸液性シートの形状や大きさは任意であるが、通常外径が３〜８ｃｍの円形のものが使いやすく、必要ならばその中央部を適宜くりぬいてドーナツ状に形成してもよい。本発明では、シートとシートの間に距離を設け通気性を確保することが重要であり、その層間距離は０．５ｍｍ〜５．０ｍｍに設定するのが好ましい。
また、シートの枚数は、回転中の空気の流れ等から３〜７枚程度が適当であることが認められ、その他、使用目的、使用期間、カートリッジの仕様等を考慮して適宜決定することができる。なお、層間距離を一定に保持するために、層間距離に相応する高さの爪をシートに立設するようにしてもよい。
【００１１】
本発明では、常温揮散性ピレスロイド系薬剤が用いられ、このような薬剤としては、一般式（Ｉ）
【化２】
2005143429.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物を例示することができる。
【００１２】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、４−メトキシメチル−２，３，５，６−テトラフルオロベンジル−２，２，３，３−テトラメチルシクロプロパンカルボキシレート（以後、化合物Ｍと称す）、又は４−メチル−２，３，５，６−テトラフルオロベンジル−２，２，３，３−テトラメチルシクロプロパンカルボキシレート（以後、化合物Ｎと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１３】
本発明では、前記通気性担体に前述の薬剤を全体で３０〜５００ｍｇ含有させる。薬剤の含有量が３０ｍｇより少ないと、殺虫効力の持続性に不足を生じる場合があり、一方５００ｍｇを超えると薬剤保持能に支障をきたす恐れがあるので好ましくない。
薬剤を含有させるに際しては、必要に応じ溶剤、希釈剤、界面活性剤、分散剤、徐放化剤などを用い、また従来から知られている各種手段を採用することができる。更に、前記薬剤含浸体に、安定剤、香料、着色剤、帯電防止剤などを適宜配合してもよく、また薬剤組成物に、揮散性能に支障をきたさない程度において、揮散性の高い他の殺虫、忌避成分（例えば、ディート、ヒノキチオール、カルボン、サフロール、シトロネロール、ケイ皮アルデヒドなどの防虫香料など）、殺ダニ剤、殺菌剤、消臭剤などを添加して多目的組成物とすることもできる。通常、通気性担体に薬剤を含浸させるよりは、あらかじめ薬剤を含有させた吸液性シートを多層に組み立てる方が製造上やりやすい。
【００１４】
本発明で使用するカートリッジは、回転中の薬剤含浸体を保持するためのもので、任意の形状を採用しうる。例えば、円筒状であってもよいし、あるいは、断面矩形のドーナツ状に形成しその内周側にファンを具備して一層揮散効率を高めえる構成を採用することもできる。
【００１５】
カートリッジの周囲には、スリット状、メッシュ状などの保護バーを装着し、指などが回転する支持体に触れないような構成にするとよい。また使用前に、カートリッジに装着した薬剤含浸体から薬剤が揮散することを防止するため、薬剤含浸体には遮蔽部材（例えば、シールテープなど）を貼付することが好ましく、このような遮蔽部材は通常使用直前に剥離される。
【００１６】
本発明で用いるモーターの仕様は、ＤＣ１．５Ｖ〜６．０Ｖ駆動で、５００〜２０００ｒｐｍの回転数を与えるものである。薬剤含浸体の使用期間が比較的短期間で、後記するＣＰＵ（中央処理装置）やメモリーを内蔵しない場合、乾電池で駆動するシンプルな構成でもよいが、制御装置を備える場合は、例えば１００Ｖの交流電源が効率的であり、ＡＣアダプターを用いて電圧ドロップ、整流した後モーター用電源回路に供給するシステムを優先させるのが好ましい。ＡＣアダプターは、薬剤揮散装置に内蔵してもよいが、コンセントプラグと一体化すると、プラグと薬剤揮散装置間の電源コードを軽量化できるというメリットを有する。また、電源コードの先端プラグを薬剤揮散装置のコネクターと取り外し可能に構成することもできる。
【００１７】
本発明の薬剤揮散装置には、揮散プログラムを制御するＣＰＵ（中央処理装置）やメモリー、更に液晶による目視可能な（１）薬剤残量表示機能、(２)乾電池／又は充電池の残量表示機能が好適に備えられる。
薬剤残量表示機能の制御方式としては種々可能であり、例えば所定量以上の電圧下でモーターが作動する際に固有の周波パルスを発振するＲＣ発振回路を内蔵し、この発振パルスの感知とこれに基づくモーター作動時間の計測、ならびに薬剤残量への変換を制御する方式を採用することができる。通常、メモリーを備え、タイマーのデータは電源を切っても消失しないように保存される。薬剤残量液晶表示器の形状や表示デザインも任意で、例えば薬剤用途ごとに切り替え可能に棒状の液晶表示器を設けてもよいし、数個の液晶表示が段階的に消えるようにしてもよい。
【００１８】
本発明の薬剤揮散装置では、モーター、ＣＰＵ、メモリー、液晶表示器用電源として、例えばＡＣ１００ＶにＡＣアダプターを介し半波整流、電圧ドロップ、抵抗、コンデンサー等により作成した３．０〜６．０Ｖの直流電源、あるいは３．０〜６．０Ｖの乾電池／又は充電地を用い、好ましくは、ＡＣ／ＤＣ判別回路を内蔵し、ＡＣ電源から作成した直流電源を優先的に使用する。このため、例えばＡＣアダプターの先端プラグが薬剤揮散装置のコネクターに接続されると同時に、乾電池／又は充電地からの電源供給が遮断される回路を配設しうる。ここで、モーター作動用電圧を例えば２．０Ｖ〜３．０Ｖとした場合のＣＰＵの制御プログラムを例示すると以下の如くである。
（１）ＡＣ電源の場合：乾電池／又は充電地の未使用表示（又full表示）の制御、薬剤用途の種別の識別とその液晶表示の制御、薬剤残量表示機能の制御、
（２）乾電池／又は充電地電源の場合：乾電池／又は充電地の残量電圧の計測とその液晶表示の制御（２．０Ｖ未満の場合警告表示）、薬剤用途の種別の識別とその液晶表示の制御、薬剤残量表示機能の制御。
なお、乾電池／又は充電地の残量電圧については、電圧低下判別回路を内蔵し、ＣＰＵが電圧の認識と計測を行うようにすればよい。そして、その液晶表示器の形状や表示デザインは何ら限定されず、前述の薬剤残量液晶表示器と一体化されていても別体であっても構わない。
【００１９】
こうして得られた本発明の薬剤揮散装置は、薬剤含浸体を回転させ、遠心力のみで薬剤を効率的に揮散させるので、構造をシンプル化することが可能となる。そして、これを用いた本発明の害虫防除方法によれば、屋内の蚊や蚋、ハエ、ユスリカなど、また洋服タンスやクローゼットなどのイガ、カツオブシムシなどの各種害虫に対してすぐれた殺虫、防虫効果が得られるので、極めて有用かつ実用的である。
【００２０】
次に、具体的実施例ならびに試験例に基づいて、本発明の薬剤揮散装置、及びこれを用いた害虫防除方法を更に詳細に説明する。
【実施例１】
【００２１】
図１は本発明の薬剤揮散装置の一例の断面図を示す。
薬剤揮散装置１は、吸液性シート２を多層に重ねて形成した通気性担体に常温揮散性ピレスロイド系薬剤を含有させてなる薬剤含浸体３を収納するドーナツ状のカートリッジ４（外径：６ｃｍ、内径：４ｃｍで内周側にファンを具備）と、これを回転させて薬剤含浸体３から薬剤を揮散させるモーター５を備えている。モーター５を回転させると遠心力が生じ、上面吸気口６から流入した空気は装置内部を通り排気口７を経て流出するが、この空気の流れにのって薬剤は空中に放散される。薬剤揮散装置１は、電源としてＡＣアダプター８を介する交流電源（電源コード９及びコネクター１０に接続）と乾電池１１を両用し、外表面には電源スイッチ１２、目視可能な棒状タイプの薬剤残量液晶表示器１３や乾電池残量液晶表示器１４が付設されている。これらはＣＰＵ用電源回路基盤１５に接続し制御される。
【００２２】
本実施例では、３６０時間用として、化合物Ｈ［４−メトキシメチル−２，３，５，６−テトラフルオロベンジル−２，２−ジメチル−３−（１−プロペニル）シクロプロパンカルボキシレート］１００ｍｇを、外径５．８ｃｍの円形ろ紙から内径４．２ｃｍの円をくり貫いたシート（目付：５２０ｇ／ｍ2、厚さ：０．８ｍｍ、目付／厚さパラメーター：６５０ｇ／ｍ2・ｍｍ）５枚に含有させた。この５枚のシートを１．０ｍｍの層間距離を設けて多層状に重ね、通気性担体を形成して薬剤含浸体３を調製した。
薬剤含浸体３をカートリッジ４に収納するとともに、モーター作動用電源がＤＣ３．０Ｖで、モーター５の回転数を１２００ｒｐｍとし、薬剤残量液晶表示器１３が有効使用時間として３６０時間を示す仕様の本実施例の薬剤揮散装置１を得た。
【００２３】
本薬剤揮散装置１を６畳の部屋の中央に置き、ＡＣアダプター７を１００Ｖ電源に接続してモーター５を作動させた。
本薬剤揮散装置１は、遠心力とファンによる風力の作用で部屋内の薬剤拡散性にすぐれ、１日あたり８時間の使用で延べ４５日間にわたり蚊の防除に有効であった。また、３６０時間後、棒状の液晶が「残量０」を示し表示機能としても優れていた。
【実施例２】
【００２４】
実施例１で用いた薬剤の替わりに、化合物Ｌ［２，３，５，６−テトラフルオロベンジル−２，２，３，３−テトラメチルシクロプロパンカルボキシレート］９０ｍｇを使用し、また通気性担体として、外径５．２ｃｍの円形プラスチック薄板の両面にレーヨン製の布（目付：４８０ｇ／ｍ2、厚さ：１．２ｍｍ、目付／厚さパラメーター：４００ｇ／ｍ2・ｍｍ）を貼り付けたシート３枚を１．５ｍｍの層間距離を設けて多層状に重ねたものを用い、２４０時間用の薬剤含浸体３を調製した。
この薬剤含浸体３を、ファンを具備しない円盤状のカートリッジ４に収納し、太陽電池と充電器を備えた本発明の薬剤揮散装置１を得た。
【００２５】
本薬剤揮散装置１を日差しのあたる屋外でしばらく充電後起動させ、その後８時間にわたり犬小屋で吊り下げ使用した。太陽電池からの電力供給は十分で、使用中余剰電力は蓄電された。このため、本薬剤揮散装置１は、１日あたり８時間の使用で延べ３０日間にわたり蚊、ユスリカなどの防除に有効で、犬は害虫に悩まされることはなかった。
【実施例３】
【００２６】
実施例１に準じ、モーター作動用電源がＤＣ３．０Ｖで、薬剤残量液晶表示器１３が有効使用時間として３６０時間を示す各種薬剤揮散装置を作製した。なお、カートリッジ４の内周側にファンを設けず、また乾電池１１を用いる場合は、単３電池２個（計３Ｖ）とした。
６畳の部屋で使用し、開始直後、１８０時間後及び３６０時間後に、蚊成虫に対する殺虫効力を調べた。結果は市販の蚊取りリキッドと比べて、○、△、×で評価し、併せて表１に示した。
○；市販の蚊取りリキッドと比べて優れる、  △；ほぼ同等、  ×；劣る
【００２７】
【表１】
2005143429.tif 000005
【００２８】
本発明の薬剤揮散装置は、ファンを備えなくても３６０時間の長期にわたり優れた殺虫効力を保持し、製造上の面でも極めて有利であった。なお、通気性担体は、その材質を目付／厚さパラメーターとして表した時、３００〜１０００（ｇ／ｍ2・ｍｍ）の範囲にあり、またシート間の距離は０．５ｍｍ〜５．０ｍｍの範囲のものがより好ましかった。
これに対し、比較例１のフェノトリンのように常温で非揮発性のピレスロイド系薬剤では本発明の薬剤揮散システムに合致せず、比較例２の如く薬剤含浸量が３０ｍｇより少ないと殺虫効力が長期間持続しなかった。また、比較例３及び４から明らかなように、モーターの回転速度が５００ｒｐｍ未満の場合、揮散効率が低く、一方２０００ｒｐｍを超えると初期の揮散量が高すぎるうえ、モーターの耐久性に問題を生じ好ましくなかった。更に比較例５のように非通気性の薬剤含浸体は不適であり、また薬剤含浸体を回転させない従来型の薬剤揮散装置（比較例６）の場合、殺虫効力が低く、ファンの風力だけでは揮散効率を高めえないことが確認された。
【図面の簡単な説明】
【００２９】
【図１】本発明の薬剤揮散装置の一例の断面図を示す。
【符号の説明】
【００３０】
１：薬剤揮散装置、
２：吸液性シート、
３：薬剤含浸体、
４：カートリッジ、 
５：モーター、 
６：吸気口、 
７：排気口、 
８：ＡＣアダプター、
９：電源コード、 
10：コネクター、
11：乾電池、 
12：電源スイッチ、 
13：薬剤残量液晶表示器、 
14：乾電池残量液晶表示器、 
15：ＣＰＵ用電源回路基盤
【図１】
2005143429.tif 000007